(57)【要約】【課題】表示部に表示された画像中の被写体に画像を関連付けて記憶させることができるデジタルカメラを提供する。【解決手段】画像を表示する表示部と、前記表示部により表示された第１画像の一部の領域を指定する指定部と、前記指定部により指定された前記領域に前記第１画像とは別の第２画像に関する情報を関連付けて記憶させる記憶制御部とを備える。【選択図】図２
2011071828.tif 000002
【特許請求の範囲】
【請求項１】
画像を表示する表示部と、
前記表示部により表示された第１画像の一部の領域を指定する指定部と、
前記指定部により指定された前記領域に前記第１画像とは別の第２画像に関する情報を関連付けて記憶させる記憶制御部と
を備えることを特徴とするデジタルカメラ。
【請求項２】
前記記憶制御部は、前記第２画像に関する少なくとも１つの情報を前記領域に関連付けて記憶させることを特徴とする請求項１に記載のデジタルカメラ。
【請求項３】
前記記憶制御部は、前記第２画像に関する情報を前記表示部により表示されている前記第１画像の画像データのタグ情報として記憶させることを特徴とする請求項１または請求項２に記載のデジタルカメラ。
【請求項４】
前記第２画像に関する情報が前記領域に関連付けて記憶されている場合において、前記領域の範囲を前記第１画像に重ねて表示することを特徴とする請求項１〜３の何れか一項に記載のデジタルカメラ。
【請求項５】
前記領域の範囲は拡張または縮小可能であることを特徴とする請求項１〜４の何れか一項に記載のデジタルカメラ。
【請求項６】
前記指定部により前記領域を指定した場合に、前記領域に関連付けて記憶されている前記第２画像を前記表示部に表示させることを特徴とする請求項１〜５の何れか一項に記載のデジタルカメラ。
【発明の詳細な説明】
【技術分野】
【０００１】
本発明は、デジタルカメラに関するものである。
【背景技術】
【０００２】
従来、再生表示された画像中の被写体に関し、それを説明するための関連情報を表示することができるデジタルカメラが存在する（例えば、特許文献１参照）。
【先行技術文献】
【特許文献】
【０００３】
【特許文献１】特開２００３−１７４５７８号公報
【発明の概要】
【発明が解決しようとする課題】
【０００４】
ところで、デジタルカメラにおいては、表示部において撮影画像の再生表示を行うことができるが、再生表示された画像中の被写体に関連する関連画像の表示が望まれることがあった。
【０００５】
本発明の目的は、表示部に表示された画像中の被写体に画像を関連付けて記憶させることができるデジタルカメラを提供することである。
【課題を解決するための手段】
【０００６】
本発明のデジタルカメラは、画像を表示する表示部と、前記表示部により表示された第１画像の一部の領域を指定する指定部と、前記指定部により指定された前記領域に前記第１画像とは別の第２画像に関する情報を関連付けて記憶させる記憶制御部とを備えることを特徴とする。
【発明の効果】
【０００７】
本発明のデジタルカメラによれば、表示部に表示された画像中の被写体に画像を関連付けて記憶させることができる。
【図面の簡単な説明】
【０００８】
【図１】実施の形態に係るデジタルカメラの背面を示す図である。
【図２】実施の形態に係るデジタルカメラのシステム構成を示すブロック図である。
【図３】実施の形態に係るデジタルカメラの撮影モードにおける処理を示すフローチャートである。
【図４】実施の形態に係るデジタルカメラの再生モードにおける処理を示すフローチャートである。
【図５】実施の形態に係るデジタルカメラにおける元画像を示す図である。
【図６】実施の形態に係るデジタルカメラにおける画像ファイルの構成を示す図である。
【図７】実施の形態に係るデジタルカメラにおける元画像のリンク領域を示す図である。
【図８】実施の形態に係るデジタルカメラにおいて元画像の画像ファイルのヘッダ部を示す図である。
【図９】実施の形態に係るデジタルカメラにおける元画像に含まれる被写体に関連する撮影画像を示す図である。
【発明を実施するための形態】
【０００９】
以下、図面を参照して本発明の実施の形態に係るデジタルカメラについて説明する。図１は実施の形態に係るデジタルカメラの背面を示す図である。デジタルカメラ２の筐体１０の背面には、液晶ディスプレイ等で構成され画像を表示する表示部１１、表示部１１に表示するカーソルの移動指示等を行うマルチセレクタ１２、カーソルで指定した位置の決定等を行う決定スイッチ１３、カメラ撮影を行う撮影モードを設定する撮影モードスイッチ１５、画像の再生表示を行う再生モードを設定する再生モードスイッチ１６、表示部１１において元画像の再生表示を指示する復帰スイッチ１８、表示部１１に表示されている画像の画像データを削除する削除スイッチ１９が設けられている。また、筐体１０の上面には、レリーズ指示を行うレリーズスイッチ２６が設けられている。
【００１０】
図２は実施の形態に係るデジタルカメラのシステム構成を示すブロック図である。デジタルカメラ２は、ＣＰＵ３０を備え、ＣＰＵ３０には操作部３２、表示部１１の表示制御を行う表示制御部３６、被写体を撮影するためのＣＣＤまたはＣＭＯＳにより構成される撮像素子を有する撮像素子３８、撮像素子３８から出力された撮像信号を図示しないＡ／Ｄ変換部においてＡ／Ｄ変換することにより生成された画像データを一時的に記憶する一時記憶部４０、一時記憶部４０に一時的に記憶されている画像データに、ホワイトバランス調整、輪郭強調、ガンマ補正等の画像処理を行う画像処理部４２、撮像された画像データ等を記録するメモリカード４４が接続されている。ここで、操作部３２には、マルチセレクタ１２、決定スイッチ１３、撮影モードスイッチ１５、再生モードスイッチ１６、復帰スイッチ１８、削除スイッチ１９、レリーズスイッチ２６等が含まれている。
【００１１】
次に、図３に示すフローチャートを参照して実施の形態に係るデジタルカメラ２による撮影モードにおける処理について説明する。操作者が撮影モードスイッチ１５を操作することにより撮影モードが設定される（ステップＳ１０）。次に、ＣＰＵ３０はメモリカード４４に記録された画像データの中からマルチセレクタ１２等の操作により選択された画像データを読み出し（ステップＳ１１）、画像データに基づく画像を表示部１１に表示する（ステップＳ１３）。例えば、図５に示す「ＤＳＣ１．ｊｐｇ」というファイル名の画像データに基づく画像を表示部１１に表示する。なお、画像データはＥｘｉｆ等の所定のファイル形式でメモリカード４４に記録されており、図６に示すように、画像データにはヘッダ部が付加され、ヘッダ部には日付やＩＳＯ感度などの撮影条件及び後述する画像リンクデータが記録される。
【００１２】
次に、画像が表示された状態でマルチセレクタ１２の操作が行われると画像上のカーソルの位置が移動する（ステップＳ１５）。操作者は、所望の被写体上にカーソルを移動させ、決定スイッチ１３を操作して画像上の位置を指定する（ステップＳ１７）。ここで、指定された位置がリンク領域内でない場合、即ち指定された位置が既にリンク領域として設定されている領域内でない場合には（ステップＳ１９）、指定された位置及び指定された位置を中心としてリンク領域を構成する範囲を画像リンクデータとして、メモリカード４４に記録された画像データ（以下、元画像データという。）に付加されているヘッダ部に記録する（ステップＳ２１）。例えば、ファイル名「ＤＳＣ１．ｊｐｇ」の元画像データに基づく画像上（図５参照）において、カーソルを移動させ、図７に示すようにｘ・ｙ位置（７００、１５０）の位置を指定した場合には、ｘ・ｙ位置（７００、１５０）を中心にしてｘ・ｙ範囲（２０、２０）のリンク領域を作成し、ｘ・ｙ位置（７００、１５０）、ｘ・ｙ範囲（２０、２０）をファイル名「ＤＳＣ１．ｊｐｇ」の元画像データのヘッダ部に記録する（図８参照）。そして、後に元画像データに基づく画像表示に戻ることができるように一時記憶部４０に元画像データのファイル名を一時的に記憶する（ステップＳ２３）。一方、指定された領域がリンク領域である場合には、新たにリンク領域の作成を行わずに元画像データのファイル名を一時的に記憶する（ステップＳ２３）。
【００１３】
次に、レリーズスイッチ２６を操作することにより撮影が行われると（ステップＳ２５）、撮像素子３８から出力された撮像信号に基づく撮影画像データがメモリカード４４に記録され（ステップＳ２７）、撮影画像データに基づく画像を表示部１１に表示する（ステップＳ２９）。次に、撮影画像の画像データのファイル名を、メモリカード４４に記録された元画像データのヘッダ部に記録して元画像データと撮影画像データの関連付けを行う（ステップＳ３１）。例えば、ファイル名「ＤＳＣ１．ｊｐｇ」の元画像データに基づく画像に表示されているヨットの画像（図９参照）が新たに撮影されると、この画像の画像データがメモリカード４４に記録され、この画像データのファイル名「ＤＳＣ２．ｊｐｇ」がファイル名「ＤＳＣ１．ｊｐｇ」の元画像データのヘッダ部に記録される（図８参照）。
【００１４】
次に、復帰スイッチ１８が操作されると一時記憶部４０に記憶した元画像データに基づく画像を再度表示部１１に表示する（ステップＳ３３、ステップＳ１３）。一方、復帰スイッチ１８が操作されない場合、撮影モードスイッチ１５または再生モードスイッチ１６が操作されると撮影モードにおける処理を終了する（ステップＳ３５）。
【００１５】
次に、図４に示すフローチャートを参照して実施の形態に係るデジタルカメラ２による再生モードにおける処理について説明する。操作者が再生モードスイッチ１６を操作することにより再生モードが設定される（ステップＳ５０）。次に、メモリカード４４に記録された画像データの中から選択された画像データを読み出し（ステップＳ５１）、画像データに基づく画像を表示部１１に表示する（ステップＳ５３）。例えば、ファイル名「ＤＳＣ１．ｊｐｇ」の画像データに基づく画像（図５参照）を表示する。操作者がマルチセレクタ１２を操作することによりカーソルが画面内を移動し（ステップＳ５５）、決定スイッチ１３を操作することにより画像上のカーソル位置が指定される（ステップＳ５７）。ここで指定された位置がリンク領域内でなければカーソルの移動が続行され（ステップＳ５９、ステップＳ５５）、指定された位置がリンク領域内であれば一時記憶部４０に元画像データのファイル名を一時的に記憶する（ステップＳ６１）。
【００１６】
次に、元画像データに関連付けされた画像データ（以下リンク画像データという。）の一覧を表示部１１に表示する（ステップＳ６３）。ここで、リンク画像データが複数個存在する場合にはサムネイル画像でリンク画像データの一覧を表示し、リンク画像データが一個の場合にはリンク画像データに基づく画像を表示する。例えば、リンク画像データがファイル名「ＤＳＣ２．ｊｐｇ」以外にも存在する場合にはファイル名「ＤＳＣ２．ｊｐｇ」の画像データに基づく画像（図９参照）を含めた複数のサムネイル画像を一覧表示し、ファイル名「ＤＳＣ１．ｊｐｇ」の元画像データのリンク画像データがファイル名「ＤＳＣ２．ｊｐｇ」の画像データしか存在しない場合には、表示部１１にファイル名「ＤＳＣ２．ｊｐｇ」の画像データに基づく画像を表示する。
【００１７】
次に、リンク画像データが複数個の場合には、マルチセレクタ１２等の操作によりリンク画像データの一覧から所望のリンク画像が選択されると（ステップＳ６５）、選択されたリンク画像を表示部１１に表示する（ステップＳ６７）。なお、リンク画像データが一個の場合には、ステップＳ６３の処理において、リンク画像データに基づく画像の表示が行われているためステップＳ６３〜ステップＳ６７の処理は行われない。次に、リンク画像データに基づく画像の表示を維持したままの状態でスイッチ操作の判定が行われる（ステップＳ６９）。ここで復帰スイッチ１８が操作されると、表示部１１に元画像を再生表示する（ステップＳ５３）。削除スイッチ１９が操作されると、メモリカード４４に記録されているリンク画像データを削除するとともに元画像データのヘッダ部に記録されているリンク画像データのファイル名を削除する（ステップＳ７１）。例えば、ファイル名「ＤＳＣ２．ｊｐｇ」の画像データに基づく画像（図９参照）が選択されて表示部１１に表示されている場合に削除スイッチ１９が操作されると、メモリカード４４に記録されているファイル名「ＤＳＣ２．ｊｐｇ」の画像データが削除され、元画像データであるファイル名「ＤＳＣ１．ｊｐｇ」の画像データのヘッダ部に記録されているファイル名「ＤＳＣ２．ｊｐｇ」が削除される（図６、図８参照）。
【００１８】
次に、他のリンク画像データが存在するか否かを判定し（ステップＳ７３）、他のリンク画像データが存在する場合にはサムネイル画像でリンク画像データの一覧を表示部１１に表示する（ステップＳ６３）。例えば、削除したファイル名「ＤＳＣ２．ｊｐｇ」の画像データ以外にも複数個のリンク画像データが存在する場合には、ファイル名「ＤＳＣ２．ｊｐｇ」の画像データを除いた複数の画像データのサムネイル画像を表示部１１に一覧表示する。一方、他のリンク画像データが存在しない場合には再生モードを終了する。また、撮影モードスイッチ１５または再生モードスイッチ１６が操作された場合にも再生モードを終了する（ステップＳ６９）。本実施の形態に係るデジタルカメラ２によれば、表示部１１に再生表示された画像に含まれる被写体に関連する画像を表示することができる。
【００１９】
なお、上述の実施の形態において、画像上の位置を指定する場合に、表示部１１に表示させたカーソルを移動させて画像の位置を指定しているが、これに代えてタッチセンサを表示部１１上に配置してもよい。これにより、操作者は指やペンで直接画像の位置を指定でき、複雑な操作を簡略化することができる。
【００２０】
また、上述の実施の形態において、画像上の位置を指定する場合に、画像を拡大または縮小した状態において位置を指定できるようにしてもよい。これにより、所望の被写体を的確に把握した上で画像上の位置を指定することができる。例えば、画像を拡大した状態であれば目の悪い人やお年寄りが操作する場合などに有効である。
【００２１】
また、上述の実施の形態において、画像のリンク領域を作成する場合に、リンク領域の指定範囲の大きさを操作者が設定できるようにしてもよい。例えば、予め操作者がリンク領域の指定範囲としてｘ・ｙ範囲（２０、２０）または、ｘ・ｙ範囲（４０、４０）等指定範囲の大きさを設定するようにしてもよい。これにより、所望のサイズのリンク領域を作成することができる。
【００２２】
また、上述の実施の形態において、画像データの関連付けを行う場合に、撮影画像データを元画像として関連付けを行うことができるようにしてもよい。例えば、ファイル名「ＤＳＣ２．ｊｐｇ」の撮影画像データにファイル名「ＤＳＣ３．ｊｐｇ」の新たな撮影画像データを関連付けることができるようにしてもよい。これにより、連鎖的に画像データの関連付けを行うことができる。
【００２３】
また、上述の実施の形態において、画像上の位置を指定する場合、操作者が識別できるようにカーソルがリンク領域上に移動した時にリンク領域の範囲を枠線で囲んで表示するようにしてもよい。これにより、操作者はリンク領域を識別しやすくなり、容易に領域の指定ができる。なお、枠線を表示するか否かは操作者の操作により予め設定できるようにすることが好ましい。
【００２４】
また、上述の実施の形態において、表示した画像上に、予め全てのリンク領域の範囲を枠線で囲んで表示するようにしてもよい。これにより、操作者は予めリンク領域を識別することができ、容易に領域の指定ができる。なお、枠線を表示するか否かは操作者の操作により予め設定できるようにすることが好ましい。
【００２５】
また、上述の実施の形態において、画像データの関連付けを行った後復帰スイッチ１８を操作することにより元画像を表示部１１に表示することとしているが、所定時間経過後に元画像の表示に復帰するようにしてもよい。
【００２６】
また、上述の実施の形態においては、リンク画像データの一覧をサムネイル画像の表示により行っているが、リンク画像の画像データは既に削除されており、ヘッダ部のリンク情報のみが存在する場合には予めメモリカード４４に記録されている所定のサンプル画像を表示するようにしてもよい。これにより、画像データの存在しない場合でもサムネイル画像を表示することができる。
【００２７】
また、上述の実施の形態において、リンク画像データの一覧をサムネイル画像の表示により行っているが、画像を表示せずにファイル名のみを列挙して表示するようにしてもよい。
【００２８】
また、上述の実施の形態において、リンク画像データを削除する場合に、削除したいリンク画像データのファイル名を元画像データのヘッダ部から削除するようにしてもよい。これにより、元画像データとリンク画像データのリンクのみが削除される。例えば、元画像とのリンクは解除したいが画像データは削除したくない場合や、ファイル名がヘッダ部に記録されているもののリンク画像データが存在しない場合等に有効である。
【００２９】
また、上述の実施の形態において、関連付けされた画像データを削除する場合に、直接リンク画像の一覧から削除できるようにしてもよい。例えば、操作者がマルチセレクタ１２等の操作によりリンク画像一覧から削除したい画像データのサムネイル画像を選択すると、サムネイル画像のチェック欄にチェックが表示され、削除スイッチ１９を操作するとチェックされたリンク画像データが削除されるようにしてもよい。これにより、複数のリンク画像データをまとめて削除することができる。
【符号の説明】
【００３０】
２…デジタルカメラ、１１…表示部、１２…マルチセレクタ、１３…決定スイッチ、１５…撮影モードスイッチ、１６…再生モードスイッチ、１８…復帰スイッチ、１９…削除スイッチ、２６…レリーズスイッチ。
【図１】
2011071828.tif 000003
【図２】
2011071828.tif 000004
【図３】
2011071828.tif 000005
【図４】
2011071828.tif 000006
【図５】
2011071828.tif 000007
【図６】
2011071828.tif 000008
【図７】
2011071828.tif 000009
【図８】
2011071828.tif 000010
【図９】
2011071828.tif 000011